(57)【要約】      （修正有）【課題】作土が土塊となって飛散するのを防止すると共に、耕耘後の作土を細かく破砕し、攪拌を高め仕上がりを良好にするカバーの構造を提供する。【解決手段】エンジンを搭載しミッションケース及び前方に向けて一体に形成された耕耘装置を有し、最も外側の耕耘爪が、走行車輪の前進する回転に逆回転するように耕耘爪軸と、耕耘爪が構成されたフロントロータリ耕耘機において、破砕された作土１４の飛散を防止し良く撹拌するために、一体的に形成されたロータリカバー９先端の前方から左右側方にかけ、フロントロータリを覆う作土飛散防止ゴムたれ１０を取り付けた。【選択図】図６
0003145149.tif 000002
【実用新案登録請求の範囲】
【請求項１】
エンジンを搭載しミッションケース及び前方に向けて一体に形成された耕耘装置を有し、最も外側の耕耘爪が、走行車輪の前進する回転に逆回転するように耕耘爪軸と、耕耘爪が構成されたフロントロータリ耕耘機において、機体前方に取り付けられたロータリカバーの前方から左右側方先端に、複数の耕耘爪を覆うように作土飛散防止ゴムたれを設けたことを特徴とするフロントロータリ構造。
【考案の詳細な説明】
【技術分野】
【０００１】  本考案は、耕耘及び管理機等歩行型農作業機に係り、詳しくはフロントロータリ耕耘機のロータリを覆うカバーの構成に関する。
【背景技術】
【０００２】  従来からフロントロータリ耕耘機において、前方に設けたロータリを覆うカバーの設置技術は知られている（特許文献１，２，３，４参照）。【０００３】
【特許文献１】特開２００１−１８６８０１号公報
【特許文献２】特願２００２−３１１０２０号公報
【特許文献３】特願２００４−２４２２８６号公報
【特許文献４】特開２００６−２６２７５７号公報
【考案の開示】
【考案が解決しようとする課題】
【０００４】  しかしながら、ロータリ外側の爪が逆転する構造を持ったフロントロータリの中でも、前記特許文献３、４に記載のものなどは、ロータリカバーが上方を覆うだけで、耕耘爪が剥き出しとなっており、耕耘爪の回転による作土の飛散は、ロータリカバーだけで防止出来ず、前方から側方にかけ上方に跳ね上がって後、作物の上に落下するため作物を傷めるほか、作土の破砕状況が悪く攪拌が不十分であり、破砕しきれない大きな土塊が散乱し作物にのしかかるなど思わしくない課題があった。【０００５】  そこで本考案は、これら従来の不具合を改善し作土が土塊となって飛散するのを防止すると共に、耕耘後の作土を細かく破砕し、攪拌を高め仕上がりを良好にすることを目的とするものである。
【課題を解決するための手段】
【０００６】  本考案は、エンジンを搭載しミッションケース及び前方に向けて一体に形成された耕耘装置を有し、最も外側の耕耘爪が、走行車輪の前進する回転に逆回転するように耕耘爪軸と、耕耘爪が構成されたフロントロータリ耕耘機において、機体前方に取り付けられたロータリカバーの前方から左右側方先端に、複数の耕耘爪を覆うように作土飛散防止ゴムたれを設けたことを特徴とするフロントロータリ構造である。
【考案の効果】
【０００７】  本考案により、ロータリカバーが覆う広さと形状に起因して、作物の品質に大きく影響する破砕不十分な土塊が、前方から側方へ作物等に向けて飛散することを阻止するため、ロータリカバーの前方から左右両側に作土飛散防止ゴムたれを設けると、作物への土塊の飛散を防止できることにより、傷や落下物によった変形のない作物が生産出来ると共に、これまで飛散することで破砕不十分であった土塊が、作土飛散防止ゴムたれに遮断され、ロータリ内に跳ね返えり確実に破砕され、作土の攪拌を高め仕上がりを良好にし、かつゴムたれが優しく作物を押し分けるのでロータリに接触した作物の被害を最小限に抑えることができる。
【考案を実施するための最良の形態】
【０００８】  以下、図面に沿って本考案の実施の形態について説明する。図１はフロントロータリ耕耘機の全体側面図であり、１はフロントロータリ耕耘機の機体であって、該機体１の中央上部にはエンジン２が備えてあり、エンジン２の動力を、その下方のミッションケース３に伝達し、左右にある走行車輪４に伝達すると共に、ミッションケース３から前方に向けて一体形成されたロータリ駆動伝動ケース５の左右にある耕耘爪軸７に伝達する。前記耕耘軸７には、フロントロータリ６を構成する複数の耕耘爪８が装着してあり、ロータリカバー９には作土飛散防止ゴムたれ１０が取り付けてあり、圃場等での耕耘作業を実施するように構成されている。【０００９】  本考案は、エンジン２で発生された駆動力が、一方はミッションケース３から駆動車輪４に伝達され車体駆動力として利用された時、同時にミッションケース３からロータリ伝導ケース５、耕耘爪軸７、耕耘爪８と伝達された時有効となる。【００１０】  本考案は、フロントロータリの左右最も外側の耕耘爪ｎ  ８ｂが、走行車輪４の前進時回転方向に対し、逆転するように回転する構成となっている耕耘爪軸ｎ  ７ｂを装備したフロントロータリ６に有効であり、この時の耕耘爪８が作土１４を前方及び側方に跳上げながら耕耘作業を行う時に、作土飛散防止ゴムたれ１０を設けて、土塊１２の飛散を防止すると共に、耕耘時に土塊１２を細かく破砕する構成である。【００１１】  まず、本考案を取り付け実施するフロントロータリ６は、図２フロントロータリ耕耘時正面図、図３フロントロータリ耕耘時側面図にて説明すると、耕耘爪軸７は、ロータリ駆動用伝動ケース５の左右両側に突出しており、ロータリ駆動用伝動ケース５側に回転が正転方向の軸からなる耕耘爪軸ｍ  ７ａと、その外側に耕耘爪軸ｍ  ７ａに同軸心上で且つ回転が逆転方向となる耕耘爪軸ｎ  ７ｂを配置する構成とされている。【００１２】  フロントロータリ６の耕耘爪８は、ロータリ駆動用伝動ケース５側に正転する耕耘爪ｍ  ８ａと、外側に逆転する耕耘爪ｎ  ８ｂで構成され、耕耘爪ｍ  ８ａの正回転による前方への飛散は少なく、大方の作土１４を後方のミッションケース３方向に放出する。【００１３】  図５フロントロータリ耕耘作業図では、逆転する耕耘爪軸ｎ  ７ｂの耕耘爪ｎ  ８ｂが、土塊１２を前方から側方に跳上げ、飛散させながら耕耘作業を行う様子である。【００１４】  本考案では、装置実施するフロントロータリ６のロータリカバー９が、３図のように上方を覆うだけなので、複数の耕耘爪８ａ，８ｂは覆いきれず、図６作土飛散防止ゴムたれ装着作業図に示すように、ロータリカバー９の前方から左右側方にかけて作土飛散防止ゴムたれ１０を取り付ける。【００１５】  図４は、作土飛散防止ゴムたれ１０を斜め前方から見た分解図である。フロントロータリ６前方から左右側方位置に設けられた作土飛散防止ゴムたれ１０は、ゴム等の弾性材から構成され、押さえ鉄板１１によってロータリカバー９と密着するように保持され、ボルトやビスなどで固定される。【００１６】  作土飛散防止ゴムたれ１０は、図５のように逆転する耕耘爪ｎ  ８ｂが跳上げる土塊１２を、図６のように耕耘爪ｎ  ８ｂ上に跳ね返し、再度、耕耘爪ｎ  ８ｂによって破���することにより、細かく攪拌して作土１４に変化を加える。【００１７】  押さえ鉄板１１は、ロータリカバー９の先端曲面にそった形状を保ち、作土飛散防止ゴムたれ１０の曲がりを維持しながらロータリカバー９の強度を維持できるように構成され、作土飛散防止ゴムたれ１０が、飛散する土塊１２に容易に破損されるのを防止する。【００１８】  本考案は、以上の構成と構造によりなるもので、フロントロータリ６の耕耘爪８が回転して耕耘作業が行われる時効果を発揮するものである。
【産業上の利用可能性】
【００１９】  作土飛散防止ゴムたれ１０を装着したフロントロータリ６により耕耘された作土１４は、傷や落下物によった変形のない作物１３が生産出来ると共に、これまで飛散することで破砕不十分であった土塊１２が、フロントロータリ６内に跳ね返えり確実に破砕され、作土１４の攪拌を高め、かつ作土飛散防止ゴムたれ１０が優しく作物１３を押し分けるので接触した作物１３の被害を最小限に抑えることができ、結果として秀品作物の生産向上、作土１４の肥料効果を良好に保つ効果を奏する。
【図面の簡単な説明】
【００２０】
【図１】本考案フロントロータリ耕耘機の側面図
【図２】フロントロータリ耕耘機の耕耘時側面図
【図３】フロントロータリ耕耘機の耕耘時正面図
【図４】作土飛散防止ゴムたれ１０を斜め前方から見た分解図
【図５】フロントロータリ耕耘作業図
【図６】本考案フロントロータリ耕耘作業図
【図７】従来例を示す歩行型耕耘機の側面図
【符号の説明】
【００２１】  １    機体（２，３，４，５，６を含む）
２    エンジン
３    ミッションケース
４    走行車輪
５    ロータリ用伝動ケース
６    フロントロータリ（７，８を含む）
７    耕耘軸（７ａ，７ｂを含む）
７ａ  耕耘軸ｍ
７ｂ  耕耘軸ｎ
８    耕耘爪（８ａ，８ｂを含む）
８ａ  耕耘爪ｍ
８ｂ  耕耘爪ｎ
９    上部カバー
１０    作土飛散防止ゴムたれ
１１    押さえ鉄板
１２    土塊
１３    作物
１４    作土
【図１】
0003145149.tif 000003
【図２】
0003145149.tif 000004
【図３】
0003145149.tif 000005
【図４】
0003145149.tif 000006
【図５】
0003145149.tif 000007
【図６】
0003145149.tif 000008
【図７】
0003145149.tif 000009